(57)【特許請求の範囲】
【請求項１】
ＤＶＤ及び、複数の情報記録層として、所定の光ディスク回転方向に対し、内周から外周に向かうスパイラル状のガイド溝を備える情報記録層と、外周から内周に向かうスパイラル状のガイド溝を備える情報記録層とを有する前記ＤＶＤよりも高密度な高密度光ディスクのボリュームエリアにユーザデータを含むボリュームデータを記録する記録方法であって、
前記ＤＶＤにおいて、
ＵＤＦファイルシステムを用いてボリューム管理情報およびユーザデータを記録し、
前記高密度光ディスクにおいて、
前記ボリュームエリアにおける先頭の物理セクタと末尾の物理セクタがいずれも前記高密度光ディスクの内周部に位置する場合に、
前記複数の情報記録層のうち、所定の光ディスク回転方向に対し内周から外周に向かうスパイラル状のガイド溝を備え前記先頭の物理セクタが配置されている情報記録層の前記ボリュームエリアの内周側に第１のボリューム管理エリアを設け、
前記複数の情報記録層のうち、いずれかの情報記録層の前記ボリュームエリアの外周側に第２のボリューム管理エリアを設け、
前記複数の情報記録層のボリュームエリアの前記第１のボリューム管理エリアおよび前記第２のボリューム管理エリアとは異なる領域にユーザデータエリアを設け、
前記ボリュームデータに関する第１のボリューム管理情報を記録する論理セクタの論理セクタ番号を前記第１のボリューム管理エリア内の所定の物理セクタ番号に割り当て、前記第１のボリューム管理情報を前記第１のボリューム管理エリアに記録し、
前記ボリュームデータに関する第２のボリューム管理情報を記録する論理セクタの論理セクタ番号を前記第２のボリューム管理エリア内の所定の物理セクタ番号に割り当て、前記第１のボリューム管理情報と同一内容からなる前記第２のボリューム管理情報を前記第２のボリューム管理エリアに記録し、
前記ユーザデータを前記ユーザデータエリアに記録し、
前記第１のボリューム管理情報、前記第２のボリューム管理情報及び前記ユーザデータは、符号化処理が行なわれ記録されることを特徴とする記録方法。
【請求項２】
ＤＶＤ及び、複数の情報記録層として、所定の光ディスク回転方向に対し、内周から外周に向かうスパイラル状のガイド溝を備える情報記録層と、外周から内周に向かうスパイラル状のガイド溝を備える情報記録層とを有する前記ＤＶＤよりも高密度な高密度光ディスクから情報を再生する再生方法であって、
前記ＤＶＤにおいて、
ＵＤＦファイルシステムを用いてボリューム管理情報およびユーザデータを再生し、
前記高密度光ディスクにおいて、
前記高密度光ディスクは、複数の情報記録層を有し、前記複数の情報記録層のボリュームエリアにユーザデータを含むボリュームデータが記録されており、
前記ボリュームエリアにおける先頭の物理セクタと末尾の物理セクタがいずれも前記高密度光ディスクの内周部に位置し、
前記複数の情報記録層のうち、所定の光ディスク回転方向に対し内周から外周に向かうスパイラル状のガイド溝を備え前記先頭の物理セクタが配置されている情報記録層のボリュームエリアの内周側に位置する第１のボリューム管理エリアに前記ボリュームデータに関する第１のボリューム管理情報が記録されており、
前記複数の情報記録層のうち、いずれかの情報記録層のボリュームエリアの外周側に位置する第２のボリューム管理エリアに前記第１のボリューム管理情報と同一内容からなる第２のボリューム管理情報が記録されており、
前記複数の情報記録層のボリュームエリアにおける前記第１のボリューム管理エリアおよび前記第２のボリューム管理エリアとは異なる領域であるユーザデータエリアに前記ユーザデータが記録された高密度光ディスクであり、
前記第１のボリューム管理情報および前記第２のボリューム管理情報の少なくともいずれか一方を再生し、
再生した前記第１のボリューム管理情報または前記第２のボリューム管理情報を用いて前記ユーザデータを再生し、
前記再生した前記ユーザデータ及び前記第１のボリューム管理情報もしくは前記第２のボリューム管理情報は復号化処理が行われ再生されることを特徴とする再生方法。
【発明の詳細な説明】
【技術分野】
【０００１】
本発明は、ファイル形式のデータを記録する光ディスクに係り、特に片面２層以上の光ディスクに記録する光ディスク記録装置及び光ディスク記録方法に関する。
【背景技術】
【０００２】
光ディスク記録装置は、非接触、大容量、高速アクセス、可換かつ低コストなメディアを特徴とする情報記録装置であり、これらの特徴を生かしてディジタルオーディオ信号やディジタル映像信号の記録装置として、あるいはコンピュータの外部記憶装置として利用されている。
【０００３】
近年においては、光ディスクは取り扱うデータ容量の増大に伴って高密度化の一途をたどっており、容量が約７００ＭＢのＣＤ（Ｃｏｍｐａｃｔ  Ｄｉｓｃ）に対し、容量が約４．７ＧＢのＤＶＤが製品化されて広く利用されている。また高精細映像を２時間記録可能な片面当たりの容量が２０ＧＢを超える次世代光ディスク（Ｂｌｕ−ｒａｙ  Ｄｉｓｃ）が実用化されてきている。
【０００４】
これら光ディスク等の記録媒体上のデータへのアクセスを容易にするためにはデータをファイル形式で管理することが有効であり、多様なファイルシステムが考案・実用に供している。
【０００５】
前述のＤＶＤにおいては一般的にＵＤＦ（Ｕｎｉｖｅｒｓａｌ  Ｄｉｓｃ  Ｆｏｒｍａｔ）と呼ばれるファイルシステムが用いられている。ＵＤＦは、ディレクトリごとにファイル識別子とファイルテーブルというテーブルを使用してディレクトリ構造の記述を行うことにより、非常に多くのファイル数（６５５３７個以上）を管理可能であって、例えばコンピュータの外部記憶装置のように大容量な記録媒体に多数のファイルを記録する用途に特に適したファイルシステムである。
【０００６】
また、ＵＤＦは図２に例示するように、ボリューム記述子列や開始点などで構成されるボリュームの管理情報をボリューム空間（論理セクタ番号で指定される論理空間）の先頭部と終端部に複数保持する構造とすることにより信頼性の向上を図っている。特に書換え可能なＤＶＤ−ＲＷにおいては、図３に示すようにボリューム空間の先頭部に保持する第１のボリューム管理情報をディスクのユーザ領域の最内周部に記録し、ボリューム空間の終端部に保持する第２の管理情報をディスクのユーザ領域の最外周部に記録する。二つの管理情報を記録するディスク上の位置を離すことで、一方の管理情報がディスク表面の傷などにより再生不能となった場合においても、他方を再生することにより、ディスク全域が再生不能となることを防止している。
【０００７】
ところで、ディスクの大容量化に関し、片面の情報記録層を２層化することによって記録可能な容量が４０ＧＢを超える次世代光ディスクが開発されつつある。記録用の２層ディスクにおいては、層を跨いでのシーケンシャルな記録に対応するために、特許文献１に記載の如く２つの層のトラックパスを対向させることが望ましい。すなわち図１あるいは図４に示すように第１層については物理セクタ番号が内周から外周に向って昇順に割当てられて内周から外周に連続的に記録し、第２層については物理セクタ番号が外周から内周に向って昇順に割当てられて外周から内周に連続的に記録する構成である。上記構成により、２つの記録層を跨いでシーケンシャルに記録する際に、第１層の外周部から第２層の外周部にフォーカスジャンプをした後、内周へのシークが不要となるため、位置決めの時間の短縮及びバッファ容量の節約が期待できる。
【先行技術文献】
【特許文献】
【０００８】
【特許文献１】特開平９−２５９３４８号公報（図３）
【発明の概要】
【発明が解決しようとする課題】
【０００９】
ところで、前述の記録に適した構造の２層ディスクに対しても、単層ディスクと同じファイルシステム、例えば前述のＵＤＦを適用することが望まれている。ところが上記の組み合わせにおいて、特に前記２層ディスクが書換え可能な光ディスクの場合においては、図４に示すように前述の第1のボリューム管理情報は第１層のユーザ領域の最内周部に記録され、前述の第２のボリューム管理情報は第２層のユーザ領域の最内周部に記録される。両方の管理情報がディスクの内周部のディスク半径方向に関して近接した位置に記録されるため、ディスク表面を傷などによって、両方のボリューム管理情報が同時に再生不能となる可能性が高くなる。つまり、記録に適した構造の２層ディスクでは、従来の単層ディスクに用いられているファイルシステムを適用した場合に、対傷等のデータ信頼性が低下してしまうという問題があった。
【課題を解決するための手段】
【００１０】
上記課題を解決するために、本発明においては以下の光ディスク記録装置、光ディスク記録方法、光ディスクの構成とした。
【００１１】
内周から外周に向って昇順に物理セクタ番号が割当てられている第１の情報記録層と、外周から内周に向って昇順に物理セクタ番号が割当てられている第２の情報記録層とを有し、ユーザエリア及び該ユーザエリアの外周側に位置するスペアエリアに分割されている光ディスクにデータを記録する光ディスク記録装置であって、ユーザデータに関する第１のボリューム管理情報を前記ユーザエリアの内周側に記録し、前記ユーザデータに関する第２のボリューム管理情報を前記スペアエリアに記録し、前記ユーザデータをファイルとして前記ユーザエリアの前記第１のボリューム管理情報以外のエリアに記録する光ディスク記録装置とした。更に、前記スペアエリアは第２層に割当てて記録する光ディスク記録装置とした。
【００１２】
内周から外周に向って昇順に物理セクタ番号が割当てられている第１の情報記録層と、外周から内周に向って昇順に物理セクタ番号が割当てられている第２の情報記録層とを有し、ユーザ管理エリア、ユーザデータエリア及び該ユーザデータエリアの外周側に位置するスペアエリアに分割され光ディスクに、ホストからの記録命令に応じて、該ホストが指定した論理セクタ番号を前記ユーザ管理エリア、前記ユーザデータエリア及び前記スペアエリアの物理セクタ番号に割当ててユーザデータ、該ユーザデータに関する第１のボリューム管理情報及び前記ユーザデータに関する第２のボリューム管理情報を記録する光ディスク記録装置であって、前記ホストが指定した論理セクタ番号が前記第１のボリューム管理情報の最終論理セクタ番号と同じ又はそれより小さい場合には、前記ユーザ管理エリアの物理セクタ番号に割当てて記録し、前記ホストが指定した論理セクタ番号が前記第２のボリューム管理情報の先頭論理セクタ番号と同じ又はそれより大きい場合には、前記スペアエリアの物理セクタ番号に割当てて記録する光ディスク記録装置とした。
【００１３】
また、内周から外周に向って昇順に物理セクタ番号が割当てられている第１の情報記録層と、外周から内周に向って昇順に物理セクタ番号が割当てられている第２の情報記録層とを有し、ユーザエリア及び該ユーザエリアの外周側に位置するスペアエリアに分割されている光ディスクにデータを記録する光ディスク記録方法であって、ユーザデータに関する第１のボリューム管理情報を前記ユーザエリアの内周側に記録し、前記ユーザデータに関する第２のボリューム管理情報を前記スペアエリアに記録し、前記ユーザデータをファイルとして前記ユーザエリアの前記第１のボリューム管理情報以外のエリアに記録する光ディスク記録方法とした。更に、前記スペアエリアは第２層に割当てて記録する光ディスク記録方法とした。
【００１４】
内周から外周に向って昇順に物理セクタ番号が割当てられている第１の情報記録層と、外周から内周に向って昇順に物理セクタ番号が割当てられている第２の情報記録層とを有し、ユーザ管理エリア、ユーザデータエリア及び該ユーザデータエリアの外周側に位置するスペアエリアに分割され光ディスクに、ホストからの記録命令に応じて、該ホストが指定した論理セクタ番号を前記ユーザ管理エリア、前記ユーザデータエリア及び前記スペアエリアの物理セクタ番号に割当ててユーザデータ、該ユーザデータに関する第１のボリューム管理情報及び前記ユーザデータに関する第２のボリューム管理情報を記録する光ディスク記録方法であって、前記ホストが指定した論理セクタ番号が前記第１のボリューム管理情報の最終論理セクタ番号と同じ又はそれより小さい場合には、前記ユーザ管理エリアの物理セクタ番号に割当てて記録し、前記ホストが指定した論理セクタ番号が前記第２のボリューム管理情報の先頭論理セクタ番号と同じ又はそれより大きい場合には、前記スペアエリアの物理セクタ番号に割当てて記録する光ディスク記録方法とした。
【００１５】
また、内周から外周に向って昇順に物理セクタ番号が割当てられている第１の情報記録層と、外周から内周に向って昇順に物理セクタ番号が割当てられている第２の情報記録層とを有し、ユーザエリア及び該ユーザエリアの外周側に位置するスペアエリアに分割されている光ディスクであって、前記ユーザエリアの内周側にユーザデータに関する第１のボリューム管理情報が記録され、前記スペアエリアにユーザデータに関する第２のボリューム管理情報が記録され、前記ユーザエリアの前記第１のボリューム管理情報以外のエリアにユーザデータがファイルとして記録された光ディスクとした。更に、前記スペアエリアは、前記第２の情報記録層に位置する光ディスクとした。
【発明の効果】
【００１６】
本発明の構成により、第１層の物理セクタ番号は内周から外周に向って昇順に割当てられ、第２層の物理セクタ番号は外周から内周に向って昇順に割当てられている記録に適した２層ディスクに対し、光ディスク用のファイルシステムとして一般的に使われているＵＤＦ等を適用する際に、対傷等の信頼性を向上させることが可能となる。
【図面の簡単な説明】
【００１７】
【図１】本発明における２層光ディスクの領域構成及びボリューム管理情報の配置図である。
【図２】本発明において適用するファイルシステムのボリューム構造を説明する図である。
【図３】従来の１層光ディスクの領域構成及びボリューム管理情報の配置図である。
【図４】従来の２層光ディスクの領域構成及びボリューム管理情報の配置図である。
【図５】本発明における光ディスク記録装置の構成図である。
【図６】本発明における、ファイルシステムの論理セクタ番号と光ディスクの物理セクタ番号との第１の対応関係を示す図である。
【図７】本発明における、ファイルシステムの論理セクタ番号と光ディスクの物理セクタ番号との第２の対応関係を示す図である。
【発明を実施するための形態】
【００１８】
以下、本発明の実施の具体的な形態について図を用いて説明する。
【００１９】
図１は本発明における光ディスクの領域構成及びボリューム管理情報の配置図である。該光ディスクは記録層として第1層と第２層とを有す。所定のディスク回転方向（例えば時計回り）に対し、第１層は内周から外周に向かうスパイラル状のガイド溝を備え、第２層は外周から内周に向かうスパイラル状のガイド溝を備える。即ち、第１層と第２層とでトラックパスが対向している。第１層は内周から外周に向かって、０、１、２、・・・Ｘ−１、Ｘと昇順に物理セクタ番号が割当てられており、一方、第２層は外周から内周に向かって、Ｙ、Ｙ＋１、Ｙ＋２・・・Ｚ−１、Ｚと昇順に物理セクタが割当てられている。ただしＹ＞ＸであればＸとＹは不連続でもよく、ここでは特にＹはＸのインバート（論理反転）とする。
【００２０】
各記録層は記録するデータの種類や用途に応じて複数の領域に分割されている。第１層は内周側から、リードインエリア、第１のスペアエリア、第１のユーザエリア、第２のスペアエリア、第１の中継エリアに分割されている。第１のユーザエリアは、更に内周側のユーザ管理エリアと外周側の第１のユーザデータエリアに分割されている。また第２層は外周側から、第２の中継エリア、第３のスペアエリア、第２のユーザエリア、第４のスペアエリア、リードアウトエリアに分割されている。また第２のユーザエリアは全域が第２のユーザデータエリアとして割当てる。
【００２１】
ここでは第２のスペアエリアと第３のスペアエリアは同じセクタ数とし、ディスク半径方向に関して略一致している。また、第２のユーザエリアの先頭物理セクタ番号は、第１のユーザエリアの最終物理セクタ番号のインバート（論理反転）とする。
【００２２】
リードインエリア及びリードアウトエリアはディスク情報の記録エリア、また記録波形やレーザ出力調整を行う試し書きエリアに割当てる。中継エリアは１層ディスクのリードアウトエリアに相当する場所に位置し、リードアウトエリアと同様にディスク情報の記録エリアや試し書きエリアとして用いる場合がある。
【００２３】
前述したように、ユーザエリアはユーザ管理エリアとユーザデータエリアとで構成する。ユーザ管理エリアには第１のボリューム情報が記録され、一方、ユーザデータエリアは図２の論理ボリューム空間に対応し、ファイル形式のユーザデータと、該ファイルの管理情報が記録される領域として割当てる。前述したように、第１のユーザデータエリアの最終位置（最外周部）と第２のユーザデータエリアの先頭位置（最外周部）はディスク半径方向に関して略一致しており、シーケンシャルに第１層と第２層を跨いで記録する場合において、第１層から第２層へのフォーカスジャンプ後のシーク動作が不要であり、位置決め時間が短縮できる。
【００２４】
スペアエリアは、ディスク欠陥の交替領域として割当てる。即ち、ユーザエリアにおいて記録不能な物理セクタ（欠陥セクタ）が存在した場合に、該物理セクタに記録するべきデータを代わりに記録する領域として用いる。なお欠陥セクタとスペアエリア内の交替先の物理セクタとの対応関係は、欠陥管理情報として前述のリードインエリア等に記録する。
【００２５】
更に、第３のスペアエリアの一部を第２のボリューム管理情報が記録される領域として割当てる。
【００２６】
以上の構成によれば、記録に適した２層ディスクに、ＵＤＦ等のファイルシステムを適用しても、複数のボリューム管理情報を物理的に離した位置に配置することにより、一方のボリューム管理情報が再生不能になった場合にも他方が再生可能である確率を向上し、データの信頼性を確保することが可能である。
【００２７】
なお、前記第２のボリューム管理情報が記録される領域としては、第２のスペアエリアの一部を割当てても良い。ただし記録層の物理特性が第１層と第２層とで同じとは限らず、また光ディスクに記録再生を行う光ピックアップの光学性能が第１層と第２層とで異なる場合があることを考慮すると、本実施例の如く第３のスペアエリアの一部に割当てることが望ましい。
【００２８】
また、本願の光ディスクとしては、第２のボリューム管理情報の論理セクタに対応するユーザエリア上の物理セクタを欠陥として扱い、第２ないし第３のスペアエリアの物理セクタに交替する欠陥管理情報を、リードインエリア等に記録する構成としてもよい。
【００２９】
また、本実施例では第２のボリューム管理情報を一般的には交替に用いられるスペアエリアに記録する構成としたが、これに限るものではなく、ユーザデータエリアよりも外周側に配置されていればよい。例えば第２のユーザデータエリアの外周側に第２のユーザ管理エリアを設けて、そこに記録してもよい。
【００３０】
また、本実施例では第２のユーザエリアの先頭物理セクタ番号は、第１のユーザエリアの最終物理セクタ番号のインバート（論理反転）としたが、これに限るものでもない。第２のユーザエリアの先頭物理セクタ番号を第１のユーザエリアの最終物理セクタ番号のインバートよりも小さい値とし、上記のように第２のユーザエリアの最外周部に第２のユーザ管理エリアを設けてもよい。ユーザ管理エリアは十分小さいので、フォーカスジャンプ後にシーク動作することなく所定の物理セクタに位置決めが可能であり、記録動作時の位置決め時間を低下せしめるものではない。
【００３１】
次に本発明における光ディスク記録装置の構成及び動作を説明する。
【００３２】
図５は本発明における光ディスク記録装置の構成図である。図５において、１１は光ディスク、１２はレーザダイオード及び光検出器を備えた光ピックアップ、１３は記録のための符号化処理と再生のための復号化処理を行う記録再生信号処理回路、１４は各ブロックの動作管理を行う制御マイコン、１５はサーボ回路、１６は上位装置とのインターフェース回路、１７は入出力端子である。
【００３３】
再生時、制御マイコン１４は上位装置などからの指令を受け、上位装置などから指定された論理セクタを光ディスク１１の物理セクタに変換する一方、光ピックアップ１２の出力に基づき記録再生信号処理回路１３で生成された各サーボ信号を用いて、サーボ回路１５を介して光ディスク１１の回転制御、光ピックアップ１２の送り及びフォーカス、トラッキング制御を行い、指定されたデータ位置にアクセスする。光ディスク１１に記録されているデータは、光ピックアップ１２により読み出され、記録再生信号処理回路１３により復号化処理が行われる。この復号化処理には、復調処理、誤り訂正処理、デ・スクランブル処理が含まれる。また光ディスク１１から読み出された物理セクタは制御マイコン１４により論理セクタに変換される。復号化処理が行われた後に得られたメインデータはインターフェース回路１６、入出力端子１７を介して外部の上位装置（図示せず）などへ出力される。
【００３４】
記録時は、入出力端子１７、インターフェース回路１６を介して、外部の上位装置などからメインデータが入力される。入力されたメインデータは、記録再生信号処理回路１３により、スクランブル処理、誤り訂正符号化処理、変調処理などの符号化処理が行われる。制御マイコン１４は、外部の上位装置から入力された論理セクタを光ディスク１１の物理セクタに変換し、サーボ回路１５を介して指定された光ディスク１１上の記録位置へのアクセスを行い、光ヘッド１２を介して光ディスク１１へ書き込みを行う。
【００３５】
ここで上位装置により指定される論理セクタを光ディスク１１の物理セクタに変換する第１の方法について説明する。
【００３６】
前述したように、再生時あるいは記録時に上位装置はインターフェース回路１６を介してメインデータに対応する論理セクタを指定する。ここで、論理セクタは前述のボリューム空間において連続した番号として割当てられており、本実施例では０からＮまでの連続した整数とする。また上位装置は図２に例示するＵＤＦ等のファイルシステムを適用しており、ボリューム空間の先頭部である論理セクタ番号０から論理セクタ番号２５６までにボリューム全体に関する第１のボリューム管理情報が割当てられ、論理セクタ番号２７２から論理セクタ番号（Ｎ−２７２）までにファイル形式のユーザデータ及びファイル管理情報から成る論理ボリューム空間が割当てられ、ボリューム空間の最終部である論理セクタ番号（Ｎ−２５６）から論理セクタ番号Ｎまでに第２のボリューム管理情報が割当てられている。
【００３７】
図６は本発明における、ファイルシステムの論理セクタ番号と光ディスクの物理セクタ番号との第１の対応関係を示す図である。ここでは前述の第１のボリューム管理情報は論理セクタ０からＰ（図２の２５６に対応する）まで、第２のボリューム管理情報は論理セクタＱ（図２のＮ−２５６に対応する）からＮまでに割当てられており、またボリューム空間の中間の論理セクタ番号をＭとする。また光ディスク１１の第１層のユーザエリアは物理セクタＡからＢまで、第２層のユーザエリアは物理セクタのＣからＤまでとする。なお、ユーザエリアの物理セクタ数はボリューム空間の論理セクタ数と同じか若しくは大きい。本実施例では同じとして、Ｍ＝Ｂ−Ａ、Ｎ−Ｍ−１＝Ｄ−Ｃとする。
【００３８】
上部装置より入力された論理セクタ番号をαとすると、制御マイコン１４内のアドレス変換手段は入力αに対して図６に示す対応関係に従って物理セクタ番号βを出力する。即ち、論理セクタ番号αが０≦α≦Ｍの場合にはβ＝α＋Ａなる物理セクタ番号βを出力し、Ｍ＋１≦α≦Ｑ−１の場合にはβ＝α−Ｍ＋Ｃなる物理セクタ番号βを出力する。またＱ≦α≦Ｎの場合にはβ＝α−Ｎ＋Ｃ−１なる物理セクタ番号βを出力する。
【００３９】
以上のようなアドレス変換手段を備えることにより、第１のボリューム管理情報を光ディスクの第１層のユーザエリアの内周部に、論理ボリューム空間を第１層または第２層のユーザエリアに、第２のボリューム管理情報を光ディスクの第２層の外周部のスペアエリアに割当てて記録することができる。
【００４０】
詳述はしないが本発明の光ディスク記録装置においても前述したようなディスク欠陥の管理を行う。上述のアドレス変換後の物理セクタ番号に関して、ディスクから読み出した欠陥管理情報を参照して交替処理を行う。
【００４１】
なお本発明は論理セクタ番号αを物理セクタ番号βに変換する式に関して本実施例に限定するものではない。例えば論理セクタ番号αがＱ≦α≦Ｎの場合に、β＝α−Ｑ＋Ｙなる物理セクタ番号βを出力するようにしても、第２のボリューム管理情報を第２層の外周部のスペアエリアに割当てることができる。あるいはＢ≦β≦Ｘを満たす物理セクタ番号βを出力することで第１層の外周部のスペアエリアに割当てるようにしてもよい。あるいは、ディスク欠陥に応じて論理セクタと物理セクタの対応関係を随時スライドさせていくようにしてもよい。
【００４２】
なお第２のボリューム管理情報を光ディスクの第２層の外周部にある第３のスペアエリアに割当てる構成を示したが、本発明の光ディスクとして前述したとおり、これに限るものではない。第２のスペアエリアに割当てても良いし、第２のユーザエリアの最外周部に第２のユーザ管理エリアを設けて、そこに記録しても良い。
【００４３】
次に上位装置により指定される論理セクタを光ディスク１１の物理セクタに変換する第２の方法について説明する。
【００４４】
図７は本発明における、ファイルシステムの論理セクタ番号と光ディスクの物理セクタ番号との第２の対応関係を示す図である。物理セクタ番号Ｅは第２のボリューム管理情報の先頭論理セクタ番号Ｑに対応し、Ｅ＝Ｑ−Ｍ＋Ｃである。その他の論理セクタ番号及び物理セクタ番号に付された記号は図６と同様である。
【００４５】
本実施例においては、光ディスク１１の初期化時に物理セクタ番号Ｅから物理セクタ番号Ｄまでを欠陥とし、ディスクに欠陥管理情報として記録する。この時、交替先として第２層の外周部のスペアエリアの物理セクタ番号を指定する。
【００４６】
上部装置より入力された論理セクタ番号αに対し、制御マイコン１４内のアドレス変換手段は図７に示す対応関係に従って物理セクタ番号βを出力する。即ち、論理セクタ番号αが０≦α≦Ｍの場合にはβ＝α＋Ａなる物理セクタ番号βを出力し、Ｍ＋１≦α≦Ｑ−１の場合にはβ＝α−Ｍ＋Ｃなる物理セクタ番号βを出力する。
【００４７】
次に制御マイコン１４はディスクローディング時にディスクから読み出した欠陥管理情報を参照し、交替処理を行う。物理セクタ番号βが欠陥管理情報として登録してあるかを検索し、登録してある場合には論理セクタ番号αを欠陥管理情報に登録してある交替先の物理セクタ番号β’に割当てる。この時、交替先が同じ層であればフォーカスジャンプを行わずに位置決めが可能となるので、位置決め時間が短縮できる。従って交替先としては本実施例のように第２層の外周部のスペアエリアであることが望ましい。
【００４８】
以上のようなアドレス変換手段及び交替処理手段を備えることにより、第２のボリューム管理情報を第２層のスペアエリアに割当てて記録することができる。また、第１のボリューム管理情報を光ディスクの第１層のユーザエリアの内周部に、論理ボリューム空間を第１層または第２層のユーザエリアに割当てて記録することができる。
【００４９】
以上、本発明の光ディスク記録装置及び光ディスク記録方法によれば、記録に適した２層ディスクを本発明の光ディスクの構成とすることができる。その結果、ＵＤＦ等のファイルシステムを適用しても、一方のボリューム管理情報が再生不能になった場合に他方が再生可能である確率を向上し、傷等に対するデータの信頼性を確保することが可能となる。
【符号の説明】
【００５０】
１１…光ディスク、１２…光ピックアップ、１３…記録再生信号処理回路、１４…制御マイコン、１５…サーボ回路、１６…インターフェース回路、１７…入出力端子。
【図１】
0005433711.tif 000002
【図２】
0005433711.tif 000003
【図３】
0005433711.tif 000004
【図４】
0005433711.tif 000005
【図５】
0005433711.tif 000006
【図６】
0005433711.tif 000007
【図７】
0005433711.tif 000008